(57)【要約】【課題】電池の劣化診断に関し、従来は、電池電圧と温度に対する劣化定数の分布を示す劣化特性マップを予め作成しておく必要があり、時間とコストがかかっていた。  本発明の目的は、実験などで予め電池電圧と温度に対する劣化定数を求めなくても、実際の製品の稼動履歴から、劣化の度合いを診断する装置、方法、及びそのシステムを提供することである。【解決手段】電池の劣化診断装置であって、電池の状態を収集する通信部と、電池の状態を記憶する稼動履歴記憶部と、電池の状態から電池の劣化によって変化する特性を測定する特性測定部と、特性と電池の状態の関係のモデルを作成する特性変動モデル作成部と、モデルに基づいて計算される特性に関する推定値に基づいて電池の劣化を診断する劣化電池診断部とで構成する。【選択図】  図１
2018169161.tif 000002
【特許請求の範囲】
【請求項１】
電池の状態を収集する通信部と、
前記電池の状態を記憶する稼動履歴記憶部と、
前記電池の状態から電池の劣化によって変化する特性を測定する特性測定部と、
前記特性と前記電池の状態の関係のモデルを作成する特性変動モデル作成部と、
前記モデルに基づいて計算される前記特性に関する推定値に基づいて電池の劣化を診断する劣化電池診断部と
を有することを特徴とする電池の劣化診断装置。
【請求項２】
請求項１に記載の電池の劣化診断装置であって、
前記電池の状態は、電流、電圧、SOC(State of Charge)、温度、湿度のうち少なくとも１つを含むことを特徴とする電池の劣化診断装置。
【請求項３】
請求項１に記載の電池の劣化診断装置であって、
前記特性は、内部抵抗または満充電容量を含むことを特徴とする電池の劣化診断装置。
【請求項４】
請求項１に記載の電池の劣化診断装置であって、
前記特性変動モデル作成部は、重回帰分析によって前記モデルを作成することを特徴とする電池の劣化診断装置。
【請求項５】
請求項１に記載の電池の劣化診断装置であって、
前記劣化電池診断部は、前記特性測定部から出力された特性の測定値と前記モデルによる特性の推定値を比較して、前記測定値と前記推定値の乖離が予め定めた基準値を超えたか否かで電池の異常を診断する異常劣化電池診断部であることを特徴とする電池の劣化診断装置。
【請求項６】
請求項１に記載の電池の劣化診断装置であって、
前記劣化電池診断部は、前記特性測定部から出力された特性の測定値を測定時の電池状態による測定時変動と測定までの劣化の影響による劣化変動に分け、前記特性測定部から出力された特性の測定値から前記モデルによる測定時変動の推定値を除く劣化変動分が予め定めた基準値を超えたか否かで電池の異常の予兆を診断する早期劣化電池診断部であることを特徴とする電池の劣化診断装置。
【請求項７】
請求項１に記載の電池の劣化診断装置であって、
前記特性変動モデル作成部および前記劣化電池診断部において、温度を対数関数により変換して、前記モデルの作成および劣化電池診断を行うことを特徴とする電池の劣化診断装置。
【請求項８】
請求項１に記載の電池の劣化診断装置であって、
前記特性変動モデル作成部および前記劣化電池診断部において、電池の使用時間をべき乗の関数により変換して、前記モデルの作成および劣化電池診断を行うことを特徴とする電池の劣化診断装置。
【請求項９】
請求項１に記載の電池の劣化診断装置であって、
画面表示、メール、電話、FAXの何れかによりアラートを出すアラート発報部を有し、前記劣化電池診断部において、異常が発生した際に、前記アラート発報部を通じて発報することを特徴とする電池の劣化診断装置。
【請求項１０】
電池の状態を収集し、
該電池の状態から電池の劣化によって変化する特性を測定し、
前記特性と前記電池の状態の関係のモデルを作成し、
前記モデルに基づいて計算される前記特性に関する推定値に基づいて電池の劣化を診断することを特徴とする電池の劣化診断方法。
【請求項１１】
請求項１０に記載の電池の劣化診断方法であって、
前記特性に関する推定値は前記モデルによる前記特性の推定値であり、
前記特性の測定値と前記特性の推定値を比較して、前記測定値と前記推定値の乖離が予め定めた基準値を超えたか否かで電池の異常を診断することを特徴とする電池の劣化診断方法。
【請求項１２】
請求項１０に記載の電池の劣化診断方法であって、
前記特性の測定値は測定時の電池状態による測定時変動と測定までの劣化の影響による劣化変動であり、
前記特性に関する推定値は前記モデルによる測定時変動の推定値であって、
前記特性の測定値から前記測定時変動の推定値を除く劣化変動分が予め定めた基準値を超えたか否かで電池の異常の予兆を診断することを特徴とする電池の劣化診断方法。
【請求項１３】
蓄電システムと、通信網と、劣化診断装置からなる電池の劣化診断システムであって、
前記蓄電システムは、
１つまたは複数の電池と、
該電池に接続され該電池の状態の実測値を稼動履歴として収集するコントローラと、
収集した稼動履歴を前記通信網に送信する通信部を有し、
前記劣化診断装置は、
前記稼動履歴を前記通信網を介して収集する通信部と、
前記稼動履歴を記憶する稼動履歴記憶部と、
前記稼動履歴から電池の劣化によって変化する特性を測定する特性測定部と、
前記特性と前記稼動履歴の関係のモデルを作成する特性変動モデル作成部と、
前記モデルに基づいて計算される前記特性に関する推定値に基づいて電池の劣化を診断する劣化電池診断部と
を有することを特徴とする電池の劣化診断システム。
【請求項１４】
請求項１に記載の電池の劣化診断装置であって、
前記劣化電池診断部は、前記モデルに基づいて計算される前記特性に関する将来の推定値に基づいて電池の劣化を診断することを特徴とする電池の劣化診断装置。
【請求項１５】
請求項１４に記載の電池の劣化診断装置であって、
前記稼動履歴記憶部に記憶された電池の状態に基づいて、将来の電池の状態を推定する稼動履歴推定部と、
前記劣化電池診断部は、前記将来の電池の状態と、前記モデルに基づいて計算される前記特性に関する将来の推定値に基づいて電池の劣化を診断することを特徴とする電池の劣化診断装置。
【請求項１６】
請求項１４に記載の電池の劣化診断装置であって、
前記劣化電池診断部は、前記特性に関する将来の推定値が、予め定めた使用期間中に、予め定めた基準値を超えるか否かで電池の劣化を診断することを特徴とする電池の劣化診断装置。
【請求項１７】
請求項１５に記載の電池の劣化診断装置であって、
前記稼動履歴推定部は、前記稼動履歴記憶部に格納された過去の電池の状態を一定期間取得して、将来の電池の状態を、前記過去の電池の状態の繰り返しとして推定することを特徴とする電池の劣化診断装置。
【請求項１８】
請求項１５に記載の電池の劣化診断装置であって、
前記稼動履歴推定部は、前記稼動履歴記憶部に格納された過去の電池の状態を一定期間取得して、将来の電池の状態を、前記過去の電池の状態に一定の値を乗算または除算した値の繰り返しとして推定することを特徴とする電池の劣化診断装置。
【請求項１９】
請求項１８に記載の電池の劣化診断装置であって、
前記稼動履歴推定部は、前記一定の値について複数の候補を作成し、前記複数の候補毎に前記将来の電池の特性を推定することを特徴とする電池の劣化診断装置。
【請求項２０】
請求項１５に記載の電池の劣化診断装置であって、
前記稼動履歴推定部は、前記稼動履歴記憶部に格納された過去の電池の状態を、複数の異なる電池について一定期間取得して、前記複数の異なる電池について取得した前記過去の電池の状態に基づいて、前記将来の電池の状態を推定することを特徴とする電池の劣化診断装置。
【請求項２１】
請求項１０に記載の電池の劣化診断方法であって、
前記電池の状態に基づいて、将来の電池の状態を推定し、
前記将来の電池の状態と、前記モデルに基づいて計算される前記特性に関する将来の推定値に基づいて電池の劣化を診断することを特徴とする電池の劣化診断方法。
【請求項２２】
請求項１３に記載の電池の劣化診断システムであって、
前記稼動履歴記憶部に記憶された電池の状態に基づいて、将来の電池の状態を推定する稼動履歴推定部と、
前記劣化電池診断部は、前記将来の電池の状態と、前記モデルに基づいて計算される前記特性に関する将来の推定値に基づいて電池の劣化を診断することを特徴とする電池の劣化診断システム。
【発明の詳細な説明】
【技術分野】
【０００１】
本発明は、電池の劣化診断に関する。
【背景技術】
【０００２】
背景技術として、特開２０１４−１９０７６３号公報(特許文献１)がある。この特許文献１には、二次電池に対して少なくとも内部抵抗値を含む現時点の電池特性を算出することと、推定期間における温度時間分布及び電流値時間分布を含む使用条件データと、電池電圧と温度に対する劣化定数の分布を示す劣化特性マップとを格納することと、前記現時点の電池特性データと使用条件データとに基づいて前記劣化特性マップにおける電池電圧−温度平面の滞在時間を積算することにより劣化量を推定すること、が記載されている。
【先行技術文献】
【特許文献】
【０００３】
【特許文献１】特開２０１４−１９０７６３号公報
【発明の概要】
【発明が解決しようとする課題】
【０００４】
前記特許文献１には、二次電池の劣化量を推定する技術が記載されている。しかし、電池電圧と温度に対する劣化定数の分布を示す劣化特性マップを予め作成しておく必要がある。そのためには、実験用の電池を作成し、一定の電位に保持するフロート試験、または一定の電位に合わせた後に貯蔵する貯蔵試験を条件を変えて実施する必要があり、時間とコストがかかっていた。また、試験は限られた条件でしか実施できないため、実際に製品を使用する条件と異なり、十分な推定精度が得られない場合があった。
【０００５】
そこで、本発明では、実験などで予め電池電圧と温度に対する劣化定数を求めなくても、実際の製品の稼動履歴から、劣化の度合いを診断する技術を提供する。さらに、将来の劣化の度合いを推定し、劣化が想定より進む場合は、期待する寿命に近づけるための使用条件を導く技術を提供する。
【課題を解決するための手段】
【０００６】
上記課題を解決するために、例えば特許請求の範囲に記載の構成を採用する。本願は上記課題を解決する手段を複数含んでいるが、その一例を挙げるならば、電池の劣化診断装置であって、電池の状態を収集する通信部と、電池の状態を記憶する稼動履歴記憶部と、電池の状態から電池の劣化によって変化する特性を測定する特性測定部と、特性と電池の状態の関係のモデルを作成する特性変動モデル作成部と、モデルに基づいて計算される特性に関する推定値に基づいて電池の劣化を診断する劣化電池診断部とで構成する。
【発明の効果】
【０００７】
実験などで予め電池電圧と温度に対する劣化定数を求めることなく、実際の製品の稼動履歴と特性から精度良く劣化を診断することができる。さらに、複数の使用条件から、期待する寿命に近づけるための使用条件を得る事ができる。
【図面の簡単な説明】
【０００８】
【図１】実施例１における電池の劣化診断システムのブロック図である。
【図２】実施例１におけるシステムマスタテーブルの構造図である。
【図３】実施例１における稼動履歴テーブルの構造図である。
【図４】実施例１における特性変動モデルテーブルの構造図である。
【図５】実施例１における診断結果テーブルの構造図である。
【図６】実施例１における電池の劣化診断のフローチャートである。
【図７】実施例２における電池の劣化診断のフローチャートである。
【図８】実施例３における電池の劣化診断のフローチャートである。
【図９】実施例４におけるモデル異常表示画面の１例である。
【図１０】実施例４における異常劣化電池表示画面の１例である。
【図１１】実施例４における早期劣化電池表示画面の１例である。
【図１２】実施例４における早期劣化電池表示画面の他の例である。
【図１３】実施例５における電池の劣化診断システムのブロック図である。
【図１４】実施例５における稼動履歴テーブルの構造図である。
【図１５】実施例５における特性変動モデルテーブルの構造図である。
【図１６】実施例５における電池の劣化診断のフローチャートである。
【図１７】実施例６における電池の劣化診断のフローチャートである。
【図１８】実施例７における特性推定画面の１例である。
【図１９】実施例７における特性推定画面の他の例である。
【図２０】実施例７における特性推定画面の他の例である。
【発明を実施するための形態】
【０００９】
以下、図面を参照しながら、電池の劣化診断装置、方法、およびシステムを説明する。
【実施例１】
【００１０】
図１に、本実施例における電池の劣化診断システムのブロック図を示す。図１において、蓄電システム１０１は、１つまたは複数の電池１０２と、電池１０２に接続されたコントローラ１０３を有する。コントローラ１０３は蓄電システム１０１および電池１０２を制御すると共に、電圧・電流・温度などの電池状態の実測値を稼動履歴として定常的に収集する。収集した稼動履歴は、コントローラに接続された通信部(蓄電システム側)１０４によって、通信網１０５を通じて定常的に送信される。なお、蓄電システム１０１は複数存在しても良い。また、蓄電システム１０１内において、電池１０２を複数束ねて電池モジュールにするなど、管理しやすいように蓄電システムを構造化しても良い。また、蓄電システム１０１は、通信部(蓄電システム側)１０４を取り込んで、通信部と一体となった蓄電システムとしても良い。
【００１１】
送信された稼動履歴は、通信網１０５を通じて、監視装置として機能する劣化診断装置に送信される。劣化診断装置は、図１に示す、通信部(記憶部側)１０６、記憶部１０７、処理部１１２、表示部１１９からなる。図１に示すように、送信された稼動履歴は、記憶部１０７に定常的に記憶され、記憶部１０７は、診断対象の基本的なデータを格納するシステムマスタテーブル１０８、稼動履歴を格納する稼動履歴記憶部である稼動履歴テーブル１０９、電池の状態と特性の関係を示す特性変動モデルを格納する特性変動モデルテーブル１１０、特性の測定値と特性変動モデルから求めた推定値との差分などを格納する診断結果テーブル１１１を持つ。また、記憶部１０７は、処理部１１２と接続され、データを授受する。
【００１２】
処理部１１２は、稼動履歴に基づいて、劣化によって変化する劣化に関する特性を測定する特性測定部１１３、稼動履歴に基づいて電池の状態と特性の関係を計算しモデルを作成する特性変動モデル作成部１１４、稼動履歴とモデルから異常劣化する電池を診断する異常劣化電池診断部１１５、稼動履歴とモデルから早期劣化する電池を診断する早期劣化電池診断部１１６を有する。なお、異常劣化電池診断部１１５と早期劣化電池診断部１１６をまとめて劣化電池診断部として、モデルに基づいて計算される特性に関する推定値に基づいて電池の劣化を診断する劣化電池診断部としてもよい。また、処理部１１２は、異常予兆をアラートとしてEメール、電話、FAXなど所望の方法で発報するアラート発報部１１７、アラートの内容を表示する画面を生成する結果表示部１１８を有する。そして、処理部１１２と接続された表示部１１９が、結果表示部１１８で生成した画面を表示する。
【００１３】
なお、上記劣化診断装置は、遠隔監視として機能し、例えば、パソコンとモニタからなるスタンドアロン型でも良いし、サーバとパソコン、モニタからなるクライアントサーバ型としても良い。また、送信された稼動履歴をクラウド上に保管し、それらのデータを用いて劣化診断を行うクラウド型としても良い。
【００１４】
図２に、本実施例におけるシステムマスタテーブル１０８の構造を示す。図２において、蓄電システムＩＤ列は、診断対象とする蓄電システムに一意に割り当てられるＩＤ、蓄電システム品種列は蓄電システムの品種、電池品種列は蓄電システムを構成する電池の品種を格納する。本テーブルには、その他に蓄電システムを所有する顧客の情報、設置された場所、用途などの情報を持たせても良い。
【００１５】
図３に、本実施例における稼動履歴テーブル１０９の構造を示す。稼動履歴テーブル１０９は、時系列に、蓄電システム１０１の状態である蓄電システムを構成する電池１０２の状態を記録するテーブルである。時刻列は状態を測定した時刻、蓄電システムＩＤ列は診断対象とする蓄電システムを一意に識別するためのＩＤ、電池ＩＤ列は診断対象とする電池を一意に識別するためのＩＤ、電流・電圧・SOC(State of Charge)・温度・湿度列は電池の状態をセンサ等で実測した値を格納する。内部抵抗・満充電容量列は、電池状態の実測値から求めたそれぞれの計算値を格納する。なお、内部抵抗は、開回路電圧に対して負荷接続時に電圧降下する現象を抵抗として表現したものである。また、満充電容量は、電池を満充電状態にして、完全放電状態にするまでに取り出せる電気量である。
【００１６】
図４に、本実施例における特性変動モデルテーブル１１０の構造を示す。特性変動モデルテーブル１１０では、稼動履歴テーブル１０９のデータに基づいて、電池の状態と特性の関係をモデルとして数値化し、その結果を格納する。なお、蓄電システムは品種毎に形状や構成が異なり、電池も品種毎に材料や形状が異なるため、状態と特性の関係についても、蓄電システムや電池の品種ごとに異なる場合がある。そこで、本実施例では、蓄電システムの品種と電池の品種の組合せ毎に特性変動モデルを計算する。
【００１７】
図４において、蓄電システム品種列は、蓄電システム１０１の品種を格納し、電池品種列は、電池１０２の品種を格納する。特性列は、モデルの対象の特性を格納する。本実施例では、特性として内部抵抗と満充電容量を扱う。
【００１８】
内部抵抗と満充電容量は、測定時の電池状態と、測定するまでの劣化の影響により変動する。それぞれの影響による変動を以降、測定時変動、劣化変動と呼ぶ。本実施例では、特性に対して、初期(製品出荷時)特性と、測定時変動と、劣化変動が線形であると仮定し、特性変動モデルを下記の式１、式２、式３により表現する。
【００１９】
特性(t)   ＝初期特性＋測定時変動(t)＋劣化変動(t)  ・・・  (式１)
測定時変動(t)＝a11×f11(x11(t))＋a12×f12(x12(t))  ・・・  (式２)
劣化変動(t)  ＝a21×f21(x21(t))＋a22×f22(x22(t))  ・・・  (式３)
ここでtはある時刻であり、x11(t)、x12(t)、x21(t)、x22(t)はそれぞれ時刻tにおける電池状態を表す。f11、f12、f21、f22は電池状態と特性の関係を表現するのに適した関数を表す。例えば、べき乗の関数(√)、対数関数(log)、指数関数(exp)などであり、適合度の良いものを選択する。a11、a12、a21、a22は特性への影響度を示す係数である。
【００２０】
図４において、特性変動モデルテーブル１１０では、変数列に、モデル式の項に代入される電池状態を稼動履歴テーブル１０９の列名から選択して格納する。また、変数列には、稼動履歴テーブルの値に基づき、関数を使った計算値を入力することもできる。例えば、図４の４行目のデータ４０１では変数列に「sum(abs(電流))」が格納されている。sumは累積和、absは絶対値を出力する関数であり、この場合は、稼動履歴テーブル１０９の時刻tまでに累積で充放電した電流量を表す。また、５行目のデータ４０２の変数列「時刻-init(時刻)」は、記録を開始してからの経過時間を表す。
【００２１】
なお、特性に対して、初期特性と、測定時変動と、劣化変動が線形でなく、交互作用がある場合は、交互作用の項を加えても良い。交互作用の項は、f3(x１×x2)のように、変数列に変数同士の積を入れることで表される。
【００２２】
制約条件列はモデルの妥当性を保証するための、特性と電池状態の物理的関係に基づいた制約条件を格納する。例えば、図４の２行目のデータ４０３では、制約条件は「＜０」と記載されており、特性「内部抵抗」のモデル式において、変数「温度」の項では、係数は負の値のみを取るという制約条件を表している。これは、温度が上昇すると、電池内の化学反応が加速されるため、その影響を受けて内部抵抗は小さくなるため、通常は測定時の温度の内部抵抗への係数は負の値しか取り得ないことを示す。
【００２３】
測定時変動/劣化変動列は、測定時変動であれば「測定時」、劣化変動であれば「劣化」を入力する。係数列は稼動履歴テーブル１０９のデータに基づいて計算された係数が格納される。
【００２４】
図５に、本実施例における診断結果テーブル１１１の構造を示す。診断結果テーブル１１１には、特性変動モデルにより電池を診断した結果を格納する。図５において、時刻列は電池特性の測定時刻、蓄電システムＩＤ、電池ＩＤ列は診断対象のＩＤ、内部抵抗(残差)列は特性を特性変動モデルで推定した値と測定値の差(残差)を格納する。特性変動モデルでの推定は、式１、式２、式３の電池状態に稼動履歴テーブル１０９における電流・電圧・SOC(State of Charge)・温度・湿度列の対応する列のデータを代入し、関数に特性変動モデルテーブル１１０の関数列の関数を代入し、係数に特性変動モデルテーブル１１０の係数列の係数を代入することで行う。推定値は、平均的な電池の特性を推定した値となるため、推定値と測定値の差は、対象とする電池がどの程度通常の電池と乖離しているかを示す指標となる。
【００２５】
また、内部抵抗(劣化変動分)列は下記の式４に従い特性変動モデルで測定時変動を推定し、測定値から測定時変動を除去した値を格納する。
【００２６】
内部抵抗(劣化変動分)＝内部抵抗測定値  
−a1×(f１(x１(t)-(ｘ１の全期間での平均値))
−a2×(f２(x２(t)-(ｘ２の全期間での平均値))  ・・・(式４)
内部抵抗(劣化変動分)列は、初期特性と劣化変動を抽出した値であるため、時系列で傾向を確認することで、劣化の傾向を確認する。満充電容量(残差)列と満充電容量(劣化変動分)列についても同様に、満充電容量の残差および劣化変動分を計算して格納する。
【００２７】
図６に、本実施例における電池の劣化診断のフローチャートを示す。図６において、まず特性測定部１１３が稼動履歴テーブル１０９から読みだしたデータに基づいて、劣化の影響を受ける特性の測定値を求め、稼動履歴テーブルに書き込む(６０１)。特性のうち、内部抵抗はオームの法則に基づき、下記の式５により電圧の変動量を電流の変動量で除算することで測定できる。
【００２８】
内部抵抗＝(電圧(t)-電圧(t-Δt)/(電流(t)-電流(t-Δt)) ・・・(式５)
ここで、tはある時刻であり、Δtは電池状態の測定間隔である。電圧(ｔ)はtの時の電池電圧、電流(t)はｔの時の電池に流れる電流を示す。
【００２９】
また、満充電容量は、電池が満充電の時点と完全放電の時点を２点抽出し、その２点間の電流値を積分することで測定できる。
【００３０】
次に、特性変動モデル作成部１１４が、稼動履歴テーブル１０９から読みだしたデータに基づいて特性変動モデルを作成し、特性変動モデルテーブル１１０に書き込む(６０２)。本実施例では、モデル係数を重回帰分析により求める。重回帰分析は、蓄電システム品種と電池品種の組合せ毎に、特性変動モデルテーブル１１０の特性列、変数列に格納されている各項について、式１、式２，式３のモデル式の係数を、稼動履歴テーブル１０９のデータについて、残差の平方和が最小になるように計算する。なお、初期(製品出荷時)特性は、重回帰分析の初期値の定数項として計算される値を用いる。本実施例では、変数名「初期値」として特性変動モデルテーブル１１０に格納する。
【００３１】
次に、モデル妥当性の確認を行う(６０３)。ここでは、特性変動モデルテーブル１１０に格納された係数について、制約条件列に格納された制約条件を満たすか確認する。  制約条件を満たさない場合はモデル異常の発報・表示(６０４)へ進む。ここでは、アラート発報部１１７を通じて異常を発報し、結果表示部１１８でモデル異常表示画面を生成し、表示画面１１９に表示する。モデル異常は、稼動履歴テーブル１０９のデータが異常であること、特性変動モデルテーブル１１０に設定した変数や制約条件が誤っていることなどが考えられるので、確認の上、誤りが有った場合は各テーブルのデータを修正する(６０５)。なお、モデル妥当性の確認(６０３)は、誤判定を防ぐ目的で必要であるが、必須ではなく、なくても構わない。
【００３２】
モデル妥当性の確認(６０３)において制約条件をみたす場合は、全電池の特性について、測定値とモデルによる推定値を比較する(６０６)。ここでは、異常劣化電池診断部１１５が、稼動履歴テーブル１０９と特性変動モデルテーブル１１０のデータに基づいて、各特性の残差を計算する。本実施例では、診断結果テーブル１１１の内部抵抗(残差)列と満充電容量(残差)列」のデータを計算し、格納する。
【００３３】
次に、モデルと乖離した電池があるか調査する(６０７)。ここでは、蓄電システム品種と電池品種の組合せ毎、または蓄電システムＩＤ毎に、診断結果テーブル１１１の電池毎の最新の残差を確認し、ばらつきから外れた残差がないか調査する。例えば、残差の＋３σ(標準偏差の３倍の値)を上限値、−３σを下限値として、上限値または下限値から外れる電池がある場合は、モデルから乖離した電池があると判定する。モデルから乖離した電池がある場合は、乖離した電池を異常劣化の電池として、アラート発報・画面表示を行う(６０８)。アラート発報部１１７を通じて異常を発報し、結果表示部１１８で異常劣化電池表示画面を生成し、表示画面１１９に表示する。
【００３４】
異常劣化電池は、対策のために正常な電池と交換する場合が考えられる。その場合は、稼動履歴テーブル１０９における電池ＩＤなどのデータが変更になるため、必要に応じて稼動履歴テーブル１０９のデータを修正する(６０９)。
【００３５】
モデルから乖離した電池がない場合は、異常劣化電池は無しと判断し、診断終了とする。診断は定期的に行う必要があるため、適当な間隔(例えば１日毎)で本診断のフローチャートを最初(６０１)から繰り返して実行する。
【００３６】
以上のように、本実施例は、電池の劣化診断装置であって、電池の状態を収集する通信部と、電池の状態を記憶する稼動履歴記憶部と、電池の状態から電池の劣化によって変化する特性を測定する特性測定部と、特性と電池の状態の関係のモデルを作成する特性変動モデル作成部と、モデルに基づいて計算される特性に関する推定値に基づいて電池の劣化を診断する劣化電池診断部とで構成する。
【００３７】
また、劣化電池診断部は、特性測定部から出力された特性の測定値とモデルによる特性の推定値を比較して、測定値と推定値の乖離が予め定めた基準値を超えたか否かで電池の異常を診断する異常劣化電池診断部とする。
【００３８】
また、電池の劣化診断方法であって、電池の状態を収集し、電池の状態から電池の劣化によって変化する特性を測定し、特性と電池の状態の関係のモデルを作成し、モデルに基づいて計算される特性に関する推定値に基づいて電池の劣化を診断するように構成する。
【００３９】
また、特性に関する推定値はモデルによる特性の推定値であり、特性の測定値と特性の推定値を比較して、測定値と推定値の乖離が予め定めた基準値を超えたか否かで電池の異常を診断するように構成する。
【００４０】
また、蓄電システムと、通信網と、劣化診断装置からなる電池の劣化診断システムであって、蓄電システムは、１つまたは複数の電池と、電池に接続され電池の状態の実測値を稼動履歴として収集するコントローラと、収集した稼動履歴を通信網に送信する通信部を有し、劣化診断装置は、稼動履歴を通信網を介して収集する通信部と、稼動履歴を記憶する稼動履歴記憶部と、稼動履歴から電池の劣化によって変化する特性を測定する特性測定部と、特性と稼動履歴の関係のモデルを作成する特性変動モデル作成部と、モデルに基づいて計算される特性に関する推定値に基づいて電池の劣化を診断する劣化電池診断部とで構成する。
【００４１】
これにより、実験などで予め電池電圧と温度に対する劣化定数を求めることなく、実際の製品の稼動履歴と特性から精度良く劣化を診断することができ、正常な電池と異なり異常な劣化傾向を示す電池を、蓄電システムの異常へと繋がる前の段階で検出することができ、対策を事前に行い蓄電システムの異常を未然に防ぐことが可能となる。
【実施例２】
【００４２】
図７に本実施例における電池の劣化診断のフローチャートを示す。図７において、処理ステップ６０１から６０５までは図６と同じ処理ステップであり、図６と同じ符号を付し、その説明は省略する。
【００４３】
図７において、モデル妥当性の確認(６０３)において制約条件をみたす場合は、処理ステップ６１０で、各特性について、測定時変動を除去し、初期特性＋劣化変動分を抽出し、診断結果テーブル１１１の特性の劣化変動分の列に格納する。次に、蓄電システム品種と電池品種の組合せ毎、または蓄電システムＩＤ毎に、診断結果テーブル１１１の電池毎の最新データに基づく劣化変動分のデータを確認し、早期劣化電池があるか判定する(６１１)。例えば、劣化変動分の平均値＋３σ(標準偏差の３倍の値)を上限値、平均値−３σを下限値として、上限値・下限値から外れる電池がある場合は、蓄電システムの中に早期劣化電池があると判定する。また、予め特性の劣化変動分について、警告ラインを定めておき、警告ラインを超える場合は、早期劣化電池があると判定する。例えば、内部抵抗であれば初期特性の５倍を警告ラインとして、それを上回る場合は早期劣化電池と判定する。満充電容量であれば初期特性の半分を警告ラインとして、それを下回る場合は早期劣化電池と判定する。ここでは、早期劣化電池診断部１１６が、稼動履歴テーブル１０９と特性変動モデルテーブル１１０のデータに基づいて、各特性の劣化変動分を計算する。
【００４４】
早期劣化電池があった場合は、アラート発報・画面表示を行う(６１２)。アラート発報部１１７を通じて異常を発報し、結果表示部１１８で早期劣化電池表示画面を生成し、表示画面１１９に表示する。早期劣化電池は、対策のために正常な電池と交換する場合が考えられる。その場合は、稼動履歴テーブル１０９における電池ＩＤなどのデータが変更になるため、必要に応じて稼動履歴テーブル１０９のデータを修正する(６０９)。
【００４５】
早期劣化電池が無かった場合は、蓄電システムの異常予兆は無しと判断し、診断終了とする。診断は定期的に行う必要があるため、適当な間隔(例えば１日毎)で本診断のフローチャートを最初(６０１)から繰り返して実行する。
【００４６】
以上のように、本実施例は、電池の劣化診断装置であって、電池の状態を収集する通信部と、電池の状態を記憶する稼動履歴記憶部と、電池の状態から電池の劣化によって変化する特性を測定する特性測定部と、特性と電池の状態の関係のモデルを作成する特性変動モデル作成部と、特性測定部から出力された特性の測定値を測定時の電池状態による測定時変動と測定までの劣化の影響による劣化変動に分け、特性測定部から出力された特性の測定値からモデルによる測定時変動の推定値を除く劣化変動分が予め定めた基準値を超えたか否かで電池の異常の予兆を診断する早期劣化電池診断部とで構成する。
【００４７】
また、電池の劣化診断方法であって、電池の状態を収集し、電池の状態から電池の劣化によって変化する特性を測定し、特性の測定値は測定時の電池状態による測定時変動と測定までの劣化の影響による劣化変動であり、特性と電池の状態の関係のモデルを作成し、特性の測定値からモデルによる測定時変動の推定値を除く劣化変動分が予め定めた基準値を超えたか否かで電池の異常の予兆を診断するように構成する。
【００４８】
これにより、本実施例によれば、測定時変動の影響を受けずに早期劣化電池があるかの診断が可能となる。また、実験などで予め電池電圧と温度に対する劣化定数を求めることなく、実際の製品の稼動履歴と特性から精度良く劣化を診断することができ、劣化が早く進み想定よりも早い段階で利用できなくなる電池を、蓄電システムの異常へと繋がる前に予兆の段階で検出することができ、対策を事前に行い蓄電システムの異常を未然に防ぐことが可能となる。
【実施例３】
【００４９】
図８に本実施例における電池の劣化診断のフローチャートを示す。
【００５０】
本実施例は、図６と図７を組合せた処理フローであり、図６、図７と同じ処理ステップは同じ符号を付している。したがって、詳細な説明は省略するが、その概要を以下説明する。
【００５１】
図８においては、特性変動モデルを作成しモデル妥当性の確認を行ない(６０１-６０５)、測定値とモデルによる推定値の比較で異常電池を検出し(６０６-６０９)、測定時変動を除去し、初期特性＋劣化変動で早期劣化電池を検出する(６１０-６１２)。
【００５２】
これにより、製品の使用条件に即した測定時の電池状態の劣化診断が可能となり異常劣化電池があるかを判断できるとともに、測定時変動の影響を受けずに早期劣化電池があるかの診断が可能となる。よって、使用電池の劣化診断の信頼性がより上がるという効果がる。
【実施例４】
【００５３】
本実施例は、電池の劣化診断システムにおける表示部への表示例について説明する。
【００５４】
図９にモデル異常表示画面を示す。図９において、モデル種別表示部７０１に、表示するモデルの蓄電システム品種、電池品種、特性を表示する。そして、グラフ表示部７０２に特性変動モデルテーブル１１０に格納されている係数を表示する。変数列と測定時変動/劣化変動列のデータをラベルとして、係数の大きさを棒グラフとして表示する。この時、係数の代わりとして、重回帰分析を行った際の標準偏回帰係数を表示しても良い。そして、制約条件から外れている係数は、強調表示のため、太線でラベルと棒グラフのプロットが囲われる。図９の例では電圧が制約条件を満たしていないため、太線で囲われている。
【００５５】
図１０に異常劣化電池の表示画面の１例を示す。  図１０において、種別表示部８０１に、表示対象とする蓄電システム品種、電池品種、蓄電システムＩＤ、特性を表示する。なお、本表示画面は、蓄電システム品種毎、電池品種毎、蓄電システムＩＤ毎に表示できる。本例では蓄電システムＩＤ毎に内部抵抗に関する異常劣化電池を表示する例を示す。
【００５６】
特性および残差グラフ表示部８０２には時系列での特性と残差を表示する。特性については、種別表示部８０１の電池について稼動履歴テーブル１０９の特性列のデータを表示する。残差のグラフには、種別表示部８０１の電池について診断結果テーブル１１１の該当する特性の残差のデータを表示する。
【００５７】
最新の残差の分布表示部８０３には、特性および残差グラフ表示部８０２の残差グラフにおいて「最新」と示されている時点でのデータを、ヒストグラムとして表示する。ここで、上限値・下限値を超える異常劣化電池について電池ＩＤを表示する。本例では電池ＩＤが３の電池が異常であることが分かる。
【００５８】
図１１に早期劣化電池表示画面の他の例を示す。モデル種別表示部９０１に、表示対象とする蓄電システム品種、電池品種、蓄電システムＩＤ、特性を表示する。なお、本表示画面は、蓄電システム品種毎、電池品種毎、蓄電システムＩＤ毎に表示できる。本例では蓄電システムＩＤ毎に内部抵抗に関する早期劣化電池を表示する例を示す。
【００５９】
特性および劣化変動分グラフ表示部９０２には時系列での特性と劣化変動分を表示する。特性については、種別表示部９０１の電池について稼動履歴テーブル１０９の特性列のデータを表示する。劣化変動分のグラフには、種別表示部９０１の電池について診断結果テーブル１１１の該当する特性の劣化変動分、すなわち、初期特性＋劣化変動のデータを表示する。
【００６０】
最新の劣化変動分の分布表示部９０３には、特性および劣化変動分グラフ表示部９０２の劣化変動分グラフにおいて「最新」と示されている時点でのデータを、ヒストグラムとして表示する。ここで、上限値・下限値を超える早期劣化電池について電池ＩＤを表示する。本例では電池ＩＤが５の電池が早期劣化電池であることが分かる。
【００６１】
図１２に早期劣化電池表示画面について図１１と異なる例を示す。図１２において、図１２の特性および劣化変動分グラフ表示部１００２の劣化変動分のグラフには、図１１の特性および劣化変動分グラフ表示部９０２と異なり、警告ラインが示されている。これにより、劣化変動分が上昇し警告ラインを超えているかを知ることができる。最新の劣化変動分の分布表示部１００３についても、図１１の最新の劣化変動分の分布表示部９０３と異なり、警告ラインが示されており、警告ラインを超える電池が存在し、その電池ＩＤが６，７であることが分かる。
【実施例５】
【００６２】
図１３に、本実施例における電池の劣化診断システムのブロック図を示す。図１３において、構成要素１０１から１１９までは図１と同じ構成要素であり、図１と同じ符号を付し、その説明は省略する。図１３において、稼動履歴推定部１２２は、稼動履歴テーブル１０９に格納されている過去の稼動履歴に基づいて、将来の稼動履歴を推定し、その推定結果を稼動履歴テーブル１０９に追加する。特性推定部１２３は、稼動履歴テーブル１０９、特性変動モデルテーブル１１０のデータに基づいて、将来の電池の特性を推定し、その推定結果を診断結果テーブル１１１に格納する。
【００６３】
図１４に本実施例における稼動履歴テーブル１０９の構造を示す。図１４おいては、図３に示した実施例１の稼動履歴テーブル１０９にケースＮｏ．列を追加した構造となっているため、追加した列のみを説明する。ケースＮｏ．列は、格納されるデータが実測した値か、それとも稼動履歴推定部１２２で推定した値かを区別するための情報を格納する。本例では、実測した値は０を、推定した値は０以外を格納する。
【００６４】
図１５に本実施例における診断結果テーブル１１１の構造を示す。図１５おいては、図５に示した実施例１の診断結果テーブル１１１にケースＮｏ．列を追加した構造となっているため、追加した列のみを説明する。ケースＮｏ．列は、格納されるデータが実測した稼動履歴を元に診断した値か、推定した稼動履歴で診断した値かを区別するための情報を格納する。本例では、実測した稼動履歴で診断した場合は０を、推定した稼動履歴で診断した場合は０以外を格納する。
【００６５】
図１６に本実施例において、将来の特性の劣化を推定する事で劣化診断を行うフローチャートを示す。図１６において、処理ステップ６０１から６０５までは図６と同じ処理ステップであり、図６と同じ符号を付し、その説明は省略する。図１６おいて、処理ステップ６０３でモデルが制約を満たす事が確認できた場合、将来の稼動履歴を推定し、稼動履歴テーブル１０９に追加する（６１３）。ここでは、実測した稼動履歴に基づいて、ルールに従って将来の稼動履歴を推定する。稼動履歴テーブル１０９には、実測した稼動履歴がケースＮｏ．列が０として登録されているので、蓄電システムＩＤ列が、診断対象の蓄電システムＩＤと一致し、ケースＮｏ．列が０のデータを取得する。そして、電池ＩＤ毎にルールに従って将来の値を推定し、ケースＮｏ．列を１として登録する。本例では、季節などの影響を考慮し、過去の電池の状態を一定期間取得するために、直近１年の稼動履歴を、予め定めた期待寿命(例えば１０年)が経過する時刻まで、繰り返す事により推定を行う。次に、将来の電池特性（劣化変動分)を推定する（６１４）。将来の電池特性(劣化変動分)は、式１、式３および下記の式６により推定できる。
【００６６】
測定時変動(t)= a11×f11(x11(t)の全期間での平均値)
＋a12×f12(x12(t)の全期間での平均値)  ・・・(式６)
ここで、式６のx11(t)、x12(t)およびf11、f12およびa11、a12は式１と同じ変数である。稼動履歴テーブル１０９から、蓄電システムＩＤ列が、診断対象の蓄電システムＩＤと一致し、ケースＮｏ．列が０以外のデータを取得し、取得したデータを式１、式３および式６に代入する事で将来の電池特性（劣化変動分)を推定し、推定した値を、診断結果テーブル１１１に格納する。ケースＮｏ．列には稼動履歴テーブル１０９から取得したケースＮｏ．列と同じ値を格納する。次に期待寿命までに電池の特性が使用限界を超えるか判定する(６１５)。ここでは、予め定めた使用期間である期待寿命(例えば１０年)までに、電池特性（劣化変動分)が予め定めた基準値である使用限界を超えるか否かを判定する。超える場合は、アラート発報・画面表示を行う(６１６)。アラート発報部１１７を通じて異常を発報し、結果表示部１１８で特性推定画面を生成し、表示部１１９に表示する。期待寿命未達の電池は、対策のために正常な電池と交換する場合が考えられる。その場合は、稼動履歴テーブル１０９における電池ＩＤなどのデータが変更になるため、必要に応じて稼動履歴テーブル１０９のデータを修正する(６０９)。
【００６７】
これにより、本実施例によれば、実験などで予め電池電圧と温度に対する劣化定数を求めることなく、実際の製品の稼動履歴と特性から精度良く将来の特性を推定し、劣化を診断することができ、劣化が早く進み想定よりも早い段階で利用できなくなる電池を、蓄電システムの異常へと繋がる前に検出することができ、対策を事前に行い蓄電システムの異常を未然に防ぐことが可能となる。
【実施例６】
【００６８】
図１７に本実施例における電池の劣化診断のフローチャートを示す。図１７において、処理ステップ６０１から６１５までは図１６と同じ処理ステップであり、図１６と同じ符号を付し、その説明は省略する。図１７において、ステップ６１５で期待寿命までに特性が使用限界を超過する場合、期待寿命を達成するために、将来の稼動履歴の修正案を作成する（６１７）。まず稼動履歴テーブル１０９の列の中で、劣化に影響する列を特定する。但し、時間に関する列は、制御できないため除外とする。特性変動モデルテーブル１１０の測定時変動/劣化変動列が「劣化」として格納されている行について、変数列に格納されている変数に相当する列を特定する。図４の例では、測定時変動/劣化変動列が「劣化」となっている変数列「sum(abs(電流))」、「時刻-init(時刻)」に含まれる「電流」、「時刻」が対象であり、時間に関する変数「時刻」は除外するため、「電流」が特定される。修正案は次の２通りの方式で作成する。
【００６９】
第一の方式は、画面を介して修正案を受け付ける方式である。結果表示部１１８が、劣化に影響する変数を表示し、その変数の変更量を受け付ける。次に、ステップ６１３と同様に稼動履歴推定部１２２が直近１年の稼動履歴を、予め定めた期待寿命が経過する時刻まで、繰り返す事により推定を行うが、その際に、劣化に影響する列の値について、稼動履歴テーブル１０９から取得した値に、受け付けた変数の変更量を乗算または徐算する事で修正案を作成する。そして、作成した修正案を稼動履歴テーブル１０９に格納する。その際にケースＮｏ．列には格納済みのケースＮｏ．列の最大値をインクリメントした値を格納する。
【００７０】
次に第二の方式は、稼動履歴テーブル１０９に格納された他の蓄電システムの稼動履歴を参照して修正案を作成する方式である。まず、システムマスタテーブル１０８から電池品種列の値が診断対象の蓄電システムと同じ蓄電システムＩＤを全て取得する。次に稼動履歴テーブル１０９から蓄電システムＩＤ列が、取得済みの蓄電システムＩＤと一致し、さらに測定値である事を示すケースＮｏ．列が０と一致するデータを、診断時点から直近１年分取得する。次に、劣化に影響する列について、取得したデータから診断対象の蓄電システムＩＤの全電池ＩＤの複数の異なる電池について平均値を計算して代表値として、代表値を１とした時の蓄電システムＩＤと電池ＩＤの組合せ毎の平均値を変更量とする。そして、稼動履歴テーブル１０９から取得した値のうち、劣化に影響する列の値について、各変更量を乗算または徐算する事で複数の修正案候補を作成する。作成した修正案は稼動履歴テーブル１０９に格納する。その際にケースＮｏ．列には各変更量毎に一意の番号を振って格納する。
【００７１】
次に、作成した全ての修正案について、将来の特性(劣化変動分)を推定する(６１８)。ステップ６１４と同様に、稼動履歴テーブル１０９から蓄電システムＩＤ列が診断対象の蓄電システムＩＤと一致するデータを取得し、取得したデータを式１、式３および式６に代入する事で推定し、推定した電池特性(劣化変動分)を、診断結果テーブル１１１に格納する。推定はケースＮｏ．列の値毎に行い、診断結果テーブル１１１には、そのケースＮｏ．の値とともに推定した結果を格納する。
【００７２】
次に期待寿命までに使用限界を超過しない修正案が有るか判定する(６１９)。診断結果テーブル１１１から蓄電システムＩＤ列が、診断対象の蓄電システムＩＤと一致するデータを全て取得し、予め定めた期待寿命(例えば１０年)までに、予め定めた電池特性の使用限界を超えないケースが存在するか判定する。使用限界を超えないケースが存在する場合は、結果を表示する(６２０)。その際は、診断結果テーブル１１１に格納された蓄電システムＩＤ列が診断対象と一致する全てのデータと、稼動履歴の修正案を作成した際の変更量をともに表示する。使用限界を超えないケースが存在しない場合は、該当電池を期待寿命未達としてアラート発報・表示する（６２１）。アラート発報部１１７を通じて異常を発報し、結果表示部１１８で特性推定画面を生成し、表示部１１９には、ステップ６２１と同様に診断結果テーブル１１１に格納された蓄電システムＩＤ列が診断対象と一致する全てのデータと、稼動履歴の修正案を作成した際の変更量をともに表示する。
【００７３】
これにより、本実施例によれば、実験などで予め電池電圧と温度に対する劣化定数を求めることなく、実際の製品の稼動履歴と特性から精度良く将来の特性を推定し、劣化を診断することができ、劣化が早く進み想定よりも早い段階で利用できなくなる電池を、蓄電システムの異常へと繋がる前に予兆の段階で検出することができ、さらに劣化の度合いが想定よりも進んでいる場合に、複数の使用条件から、期待する寿命に近づける使用条件を得る事ができる。
【実施例７】
【００７４】
本実施例は、電池の劣化診断システムにおける表示部への表示例について説明する。図１８に特性推定画面の１例を示す。図１８において、種別表示部１１０１に、診断対象とする蓄電システム品種、電池品種、特性、蓄電システムＩＤを表示する。なお、本表示画面は、蓄電システム品種毎、電池品種毎、蓄電システムＩＤ毎に表示できる。本例では蓄電システムＩＤ毎に内部抵抗に関する期待寿命未達電池を表示する例を示す。特性および劣化変動分グラフ１１０２には、時系列での特性と劣化変動分を表示する。特性については、種別表示部１１０１の電池について稼動履歴テーブル１０９の特性列のデータのうち、測定値であるケースＮｏ．列が０のデータを表示する。劣化変動分のグラフには、種別表示部１１０１の電池について診断結果テーブル１１１の該当する特性の劣化変動分を表示する。ここで、診断結果テーブル１１１のケースＮｏ．列が０のデータは、測定された稼動履歴に基づいて計算された事を示すため、実線でプロットする。ケースＮｏ．列が０以外のデータは推定された稼動履歴に基づいて計算された事を示すため、破線でプロットする。劣化変動分のグラフ内には破線の水平線で使用限界を示しており、特性の劣化変動分が期待寿命までに使用限界を超過する場合は、期待寿命未達電池として、電池ＩＤを表示する。本例では、その電池ＩＤが３であることがわかる。
【００７５】
図１９は特性推定画面のうち、稼動履歴の推定に用いる変更量を画面で受け付ける例を示す。図１９において、種別表示部１１０３に、診断対象とする蓄電システム品種、電池品種、特性、蓄電システムＩＤ、電池ＩＤを表示する。なお、本表示画面は、蓄電システム品種毎、電池品種毎、蓄電システムＩＤ、電池ＩＤ毎に表示できる。本例では特定の蓄電システムＩＤの電池ＩＤの推定例を示す。稼動履歴変更量受付部１１０４には、劣化に影響する変数が特定され、表示される。さらに、スライドバーやテキストボックスなどにより、変更量を入力して受け付けられるようになっている。変更量の入力を受け付けると、変更量に基づいた稼動履歴の推定、推定された稼動履歴による特性(劣化変動分)の推定が行われ、特性および劣化変動分グラフ１１０５に表示される。特性については、種別表示部１１０３の電池について稼動履歴テーブル１０９の特性列のデータのうち、測定値を示すケースＮｏ．列が０のデータを表示する。劣化変動分のグラフには、種別表示部１１０３の電池について診断結果テーブル１１１の該当する特性の劣化変動分を表示する。ここで、診断結果テーブル１１１のケースＮｏ．列が０のデータは、測定された稼動履歴に基づいて計算された事を示すため、実線でプロットする。ケースＮｏ．列が０以外のデータは推定された稼動履歴に基づいて計算された事を示すため、破線でプロットする。さらに推定の際に変更した変数と変更量を併記する。本例では電流の変更量を１．０として稼動履歴の推定を行った場合は、期待寿命までに使用限界に達するが、変更量を０．８として稼動履歴の推定を行った場合は、期待寿命まで使用限界には達さず、使用を継続できる事がわかる。
【００７６】
図２０は、特性推定画面のうち、稼動履歴の推定の際の変更量を画面から受け付けることなく、複数案作成して提示する例を示す。なお、本表示画面は、蓄電システム品種毎、電池品種毎、蓄電システムＩＤ、電池ＩＤ毎に表示できる。本例では特定の蓄電システムＩＤの電池ＩＤの推定例を示す。図２０において、特性および劣化変動分グラフ１１０６には、複数の稼動履歴の推定、推定された稼動履歴による特性(劣化変動分)の推定結果が表示される。特性については、種別表示部１１０３の電池について稼動履歴テーブル１０９の特性列のデータのうち、測定値を示すケースＮｏ．列が０のデータを表示する。劣化変動分のグラフには、種別表示部１１０３の電池について診断結果テーブル１１１の該当する特性の劣化変動分を表示する。ここで、診断結果テーブル１１１のケースＮｏ．列が０のデータは、測定された稼動履歴に基づいて計算された事を示すため、実線でプロットする。ケースＮｏ．列が０以外のデータは推定された稼動履歴に基づいて計算された事を示すため、破線でプロットする。さらに推定の際に変更した変数と変更量を併記する。本例では電流の変更量を１．２または１．０として稼動履歴の推定を行った場合は、期待寿命までに使用限界に達するが、変更量を０．８または０．６として稼動履歴の推定を行った場合は、期待寿命まで使用限界には達さず、使用を継続できる事がわかる。  以上の説明から、本発明による電池の異常予兆診断システムにより、事前の実験などにより電池電圧と温度に対する劣化定数を求めなくても、劣化が異常な早さで進む電池、早期に劣化が進んでしまう電池を、劣化により蓄電システムの異常が発生する前の予兆として検知し、さらに、劣化の度合いが想定よりも進んでいる場合に、期待する寿命まで使用を可能とする条件を導くことが可能となる。
【００７７】
本発明は上記した実施例に限定されるものではなく、様々な変形例が含まれる。また、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００７８】
１０１…蓄電システム、１０２…電池、１０７…記憶部、１０８…システムマスタテーブル、１０９…稼動履歴テーブル、１１０…特性変動モデルテーブル、１１１…診断結果テーブル、１１２…処理部、１１９…表示部
【図１】
2018169161.tif 000003
【図２】
2018169161.tif 000004
【図３】
2018169161.tif 000005
【図４】
2018169161.tif 000006
【図５】
2018169161.tif 000007
【図６】
2018169161.tif 000008
【図７】
2018169161.tif 000009
【図８】
2018169161.tif 000010
【図９】
2018169161.tif 000011
【図１０】
2018169161.tif 000012
【図１１】
2018169161.tif 000013
【図１２】
2018169161.tif 000014
【図１３】
2018169161.tif 000015
【図１４】
2018169161.tif 000016
【図１５】
2018169161.tif 000017
【図１６】
2018169161.tif 000018
【図１７】
2018169161.tif 000019
【図１８】
2018169161.tif 000020
【図１９】
2018169161.tif 000021
【図２０】
2018169161.tif 000022